(57)【要約】【課題】  ロールシートの外周面にユーザーの手を触れさせることなく、簡単にロールシートを支軸に取り付けることができるロールシート収納箱を提供する。【解決手段】  シートがロール状に巻かれたロールシートを収容するロールシート収納箱であって、ロールシートの軸方向と略平行な面を有する箱側面部と、当該軸方向と交差する方向と略平行な面を有する第１の箱端部および第２の箱端部と、を備え、当該第１の箱端部および当該第２の箱端部は、箱側面部から分離可能に構成されていることを特徴とする。【選択図】  図８
2019064608.tif 000002
【特許請求の範囲】
【請求項１】
シートがロール状に巻かれたロールシートを収容するロールシート収納箱であって、
前記ロールシートの軸方向と略平行な面を有する箱側面部と、前記軸方向と交差する方向と略平行な面を有する第１の箱端部および第２の箱端部と、を備え、
前記第１の箱端部および前記第２の箱端部は、前記箱側面部から分離可能に構成されていることを特徴とするロールシート収容箱。
【請求項２】
前記ロールシートの端部側には、略円板状のフランジが設けられ、
前記ロールシート収容箱を接地面に設置したときの前記接地面から前記ロールシート収容箱に収容された前記ロールシートの中心軸までの高さは、前記ロールシートを前記接地面に設置したときの前記接地面から前記フランジの中心部までの高さよりも大きい、
ことを特徴とする請求項１に記載のロールシート収容箱。
【請求項３】
前記箱側面部は、少なくとも４つの面から構成されており、
前記第１の箱端部および前記第２の箱端部は、前記少なくとも４つの面のうち１つの面とは分離しないように構成されている、
ことを特徴とする請求項１または２に記載のロールシート収容箱。
【請求項４】
前記第１の箱端部および前記第２の箱端部は、前記箱側面部から分離したときに、前記分離しない１つの面との接続部を中心に回転可能に構成されている、
ことを特徴とする請求項３に記載のロールシート収容箱。
【請求項５】
前記箱側面部は、前記軸方向と略平行な方向に分離可能に構成されている、
ことを特徴とする請求項１ないし４のいずれか１項に記載のロールシート収納箱。
【請求項６】
前記箱側面部にはミシン目が形成されており、
前記第１の箱端部および前記第２の箱端部は、前記ミシン目において箱側面部から分離する、
ことを特徴とする請求項１ないし５のいずれか１項に記載のロールシート収納箱。
【請求項７】
前記ロールシートの表面を保護するための保護シートをさらに備えることを特徴とする請求項１ないし６のいずれか１項に記載のロールシート収納箱。
【請求項８】
前記保護シートには、当該保護シートを分離するためのミシン目が形成されていることを特徴とする請求項７に記載のロールシート収納箱。
【請求項９】
前記箱側面部には穴部が設けられており、
前記第１の箱端部および前記第２の箱端部には前記穴部と係合可能な爪部が設けられており、
前記第１の箱端部および前記第２の箱端部が前記箱側面部から分離した状態において、前記爪部が前記穴部に係合することによって、前記第１の箱端部および前記第２の箱端部は前記箱側面部を支持する、
ことを特徴とする請求項１ないし８のいずれか１項に記載のロールシート収納箱。
【発明の詳細な説明】
【技術分野】
【０００１】
本発明は、ロールシート収納箱に関する。
【背景技術】
【０００２】
従来から、大型の画像を記録する商業用プリンタにおいて、紙（シート）が巻き重ねられた長尺のロールシートが記録用紙として用いられている。ロールシートは、保護用のロールシート包装部材に包まれた状態で紙製の収納箱の内部に梱包されている。ロールシートの収納箱（ロールシート収納箱）としては例えば特許文献１のようなものが提案されている。
【０００３】
このような収納箱において、収納箱の内部にはロールシート芯部の内周面を支持する支持部材が設けられている。ロールシートは、ロールシート外周面が収納箱の内側面に接触することがない状態で収納箱に収容され、輸送や保管をすることができる。
【０００４】
ロールシートをプリンタ本体に装着する際は、まず図１３のように、収納箱７からロールシート２を取り出し、ロールシート２からロールシート包装部材である保護シート１３を取り外す。一方、図１４（ａ）に示すように、ロールホルダユニット１２をプリンタ本体から取り外し、ロールホルダユニット１２からフランジ４ａを取り外す。次に、支軸５にロールシート２を回転可能に軸支する（図１４（ｂ））。そして、支軸５の一端にフランジ４ａを取り付け（図１４（ｃ））、ユーザーはロールホルダユニット１２の両端を持ってプリンタ本体に装着する。
【先行技術文献】
【特許文献】
【０００５】
【特許文献１】特開平８−２１７２９５号公報
【発明の概要】
【発明が解決しようとする課題】
【０００６】
しかしながら、ロールシートを支軸に軸支する際、ユーザーはロールシートの外周面に触れながら、支軸をロールシートの長手方向に貫き通す必要があり、作業性に改善の余地があった。特に、ロールシートの幅が両手を広げても届かない長さであった場合には、ユーザー１人での作業が困難になるおそれがあった。また、ロールシートの外周面に触れることによって、ロールシートの外周面を汚損するおそれがあった。
【０００７】
本発明は、ロールシートの外周面にユーザーの手を触れさせることなく、簡単にロールシートを支軸に組み付けることができるロールシート収納箱を提供することを目的とする。
【課題を解決するための手段】
【０００８】
上記目的を達成するため、本発明に係るロールシート収納箱は、シートがロール状に巻かれたロールシートを収容するロールシート収納箱であって、前記ロールシートの軸方向と略平行な面を有する箱側面部と、前記軸方向と交差する方向と略平行な面を有する第１の箱端部および第２の箱端部と、を備え、前記第１の箱端部および前記第２の箱端部は、前記箱側面部から分離可能に構成されていることを特徴とする。
【発明の効果】
【０００９】
本発明によれば、ロールシートの外周面にユーザーの手を触れさせることなく、簡単にロールシートを支軸に取り付けることができるロールシート収納箱を提供することができる。
【図面の簡単な説明】
【００１０】
【図１】第１実施形態に係る画像形成装置の構成を示す側面図である。
【図２】第１実施形態に係るロールホルダユニットの構成を示す模式図である。
【図３】第１実施形態においてロールホルダユニットを画像形成装置に取付ける手順を説明するための図である。
【図４】第１実施形態に係るロールシート収納箱とその内容物を示す外観斜視図である。
【図５】第１実施形態に係るロールシート収納箱の分離位置を示す外観斜視図である。
【図６】第１実施形態に係る保護シートのミシン目の位置を示す上面図である。
【図７】第１実施形態に係るロールシート収納箱の梱包状態を示す断面図である。
【図８】第１実施形態に係るロールシート収納箱の分離後の状態を示す斜視図である。
【図９】第１実施形態における分離後のロールシート収納箱と支軸の高さの関係を示す正面図である。
【図１０】第１実施形態においてロールシートをロールホルダユニットに取付ける手順を説明するための図である。
【図１１】第２実施形態に係るロールシート収納箱を示す外観斜視図である。
【図１２】第２実施形態に係るロールシート収納箱の固定方法を説明するための図である。
【図１３】従来技術におけるロールシート収納箱を開梱する手順を説明するための図である。
【図１４】従来技術におけるロールシートをロールホルダユニットに取付ける手順を説明するための図である。
【発明を実施するための形態】
【００１１】
（第１実施形態）
以下、図面を参照しながら本発明に係るロールシート収納箱の実施形態について詳細に説明する。
【００１２】
＜画像形成装置＞
まず、本発明を適用可能な画像形成装置（記録装置）について説明する。図１は、本実施形態に係る画像形成装置の構成を示す側面図である。画像形成装置（プリンタ６００）は、搬送ユニット３５０、シート搬送部３００、記録部４００、排出部５００を備えている。搬送ユニット３５０には、ロール状の記録媒体であるロールシート２（ロール紙）がロールホルダユニット１２と一体に取り付けられる。搬送ユニット３５０は、ロールホルダユニット１２を回転させてロールシート２をシート搬送部３００へ送り出すことができる。シート搬送部３００は搬送ローラ対などから構成され、搬送ユニット３５０から送り出されたロールシート２を記録部４００へ搬送する。記録部４００は、インクを吐出するインクジェット記録ヘッド（記録ヘッド）と、記録ヘッドを着脱自在に搭載するキャリッジとを有している。キャリッジはロールシート２の搬送方向と交差する方向に移動可能に構成されている。記録部４００は、ロールシート２の搬送の停止中に、キャリッジが移動しながら記録ヘッドからロールシート２にインクを吐出することで、ロールシート２に画像を形成することができる。排出部５００は、プリント終了後にカッタ６によりカットされたシートを装置外部に排出する。排出部５００より排出されたシートはバスケット１４に収容される。
【００１３】
図２（ａ）は、ロールホルダユニット１２の構成を示す模式図である。ロールホルダユニット１２は、支軸５、第１の摩擦部材１６ａ、第２の摩擦部材１６ｂ、基準側フランジ４ｂ、フランジ４ａ、ギア１５を備えている。略円板状の基準側フランジ４ｂは、支軸５の基準側端部（端部側）に設けられている。ギア１５は、支軸５の基準側と反対側の端部（端部側）に固定されている。フランジ４ａは、支軸５に設けられており、基準側フランジ４ｂとギア１５の間の任意の位置に移動可能に構成されている。第２の摩擦部材１６ｂは、基準側フランジ４ｂの基準側と反対面に、第１の摩擦部材１６ａは、フランジ４ａの基準側面にそれぞれ当接して設けられており、ロールシート２の芯部材２１の内径に、軽微な力で挿入可能な外径を備えている。
【００１４】
図２（ｂ）は、ロールホルダユニット１２にロールシート２が取り付けられた状態を示す図である。ロールシート２の紙管の内径は、第１の摩擦部材１６ａと第２の摩擦部材１６ｂにそれぞれ接触し、ロールシート２の端面は、基準側フランジ４ｂとフランジ４ａにそれぞれ当接している。フランジ４ａと支軸５は、図示しないロック部材により固定され、ロールシート２が支軸５から抜けることを防止している。
【００１５】
その後、図３に示すように、ロールシート２が取り付けられたロールホルダユニット１２を、搬送ユニット３５０の軸受部３５１へ矢印Ｉ方向に取り付ける。すると、プリンタ６００内にある図示しないモータと駆動連結された給送ギア３５２と、ロールホルダユニット１２内のギア１５とが噛み合った状態となり、プリンタ６００の駆動命令に応じて、ロールホルダユニット１２が回転可能となる。
【００１６】
＜ロールシート収納箱の構成＞
次に、本実施形態に係るロールシート収納箱について詳細に説明する。図４は、第１実施形態に係るロールシート収納箱とその内容物を示す外観斜視図である。ロールシート収納箱（収容箱）は、図４に示すような箱体１である。箱体１は、長手方向（ロールシートの軸方向）の辺の長さがＡで、幅方向（ロールシートの軸方向と交差する方向）の辺の長さがＥとなっており、長方形からなる４つの箱側面部１０３と、正方形からなる箱端面部１０４ａ，１０４ｂとを有する。箱体１の箱端面部１０４ａ，１０４ｂは、開口部１７と、該開口部を開閉自在に覆う蓋１８と、端面縁部に設けられた小片からなる扉状部１９とを有する。さらに、蓋１８の縁部には、突起部２０が設けられている。この突起部２０を、端面縁部に形成された隙間に差し込むことによって、開口部１７を閉じることができる。この開口部１７を介して、後述するロールシート２と一対の支持部材３とを箱体１内に収納することができる。
【００１７】
また、箱体１には箱端面部１０４ａから長手方向距離Ｂの位置に第１分離位置９と、箱端面部１０４ｂから長手方向距離Ｃの位置に第２分離位置１０とが設けられている。第１分離位置９と第２分離位置１０にはそれぞれ、４面で構成される箱側面部１０３のうち３面を分離（分断）可能なミシン目が形成されている。図５は、本実施形態に係る箱の分離位置を示す外観斜視図である。図５に示すように、箱体１は接地面２７に設置される。接地面２７と対向する箱底面３１は他の面とは分離できない（分離不可能）ように構成されている。一方で、箱体１のその他の３面にはミシン目が形成され、それぞれ分離可能に構成されている。ここで、箱体１をそれぞれのミシン目において分離したとき、第１分離位置９および第２分離位置１０において分離した箱端部は、それぞれ箱端部と箱中央部との接続部である第１曲げ領域３２および第２曲げ領域３３において折れ曲がり、箱体１を変形させる。詳細は後述する。
【００１８】
以下、第１分離位置９より端面部側の領域を箱端部１０２ａ、第２分離位置１０より端面部側の領域を箱端部１０２ｂ、第１分離位置９と第２分離位置１０の間の領域を箱中央部１０１と記す。ここで、箱中央部１０１には、箱体１の長手方向と略平行に箱側面部１０３を分離するミシン目で構成された第３分離位置１１が設けられている。箱体１は第３分離位置１１において、後述するロールシート２をロールホルダユニット１２に取り付ける作業時に分離され、箱体１からロールホルダユニット１２を取り除くことができるようになっている。
【００１９】
＜ロールシートの構成＞
ロールシート２は、図４に示すように、中空円筒状の芯部材２１と、該芯部材の外周面に巻かれた記録用紙２２とからなり、使用前は記録用紙２２がシールテープ２３によって固定されている。ロールシート２の径Ｄは、箱端面部１０４の１辺の長さＥよりも小さい。なお、販売・流通時には、外部環境（温度、湿度等）の変化等から記録用紙２２を保護するため、ロールシート２は保護シート８により包装した状態である。
【００２０】
保護シート８には、図６に示すように、保護シート８の分離をガイドするミシン目２４，２５，２６が設けられている。第１のミシン目２４および第２のミシン目２５は、両側のロールシート端面部２０１近傍において、ロールシート端面部２０１と略平行な方向に設けられている。第３のミシン目２６は、ロールシート２の軸方向と略平行に設けられている。これらのミシン目２４，２５，２６は、後述するロールシート２をロールホルダユニット１２に取り付ける作業時に切り離し、ロールシート２から保護シート８を取り除くために設けられている。
【００２１】
＜ロールシートが収納箱に収納されている状態の説明＞
図７は、本実施形態に係るロールシート収納箱の梱包状態を示す断面図である。販売・流通時には、ロールシート２および２つの支持部材３は、収納箱に収納された状態となっている。２つの支持部材３は、箱端面部１０４ａ，１０４ｂの内側に接しており、ロールシート２の芯部材２１の内周面が、２つの支持部材３の軸部２９に接触し、ロールシート２は支持部材３に懸架されている。
【００２２】
＜ロールシートのロールホルダユニットへの取り付け方法＞
次に、ロールシート収納箱を開梱し、プリンタのロールホルダユニットにロールシートを取り付けるまでの作業手順について説明する。
【００２３】
まず、梱包状態の箱体１を、図８に示す状態へと変形させる際の作業について説明する。最初に、箱体１を、第１分離位置９および第２分離位置１０において、ミシン目に沿って箱側面部１０３のうちの３面を分離する。次に、箱底面３１上にある第１曲げ領域３２、第２曲げ領域３３を中心軸として、矢印Ｆの方向に箱端部１０２ａ，１０２ｂを曲げて反転（回転）させる。このとき支持部材３は箱端部１０２ａ，１０２ｂと一体に反転させる。そして、箱体１から露出したロールシート２の保護シート８の第１のミシン目２４と第２のミシン目２５を切り離す。この時点での箱体１は、ロールシート端面部２０１が、第１分離位置９および第２分離位置１０よりも外側に突出する位置関係となっており、ロールシート端面部２０１は、箱端部１０２の一部と保護シート８が切り離されたことで、解放した状態となっている。また、このときの収納箱とロールホルダユニット１２の高さ関係を図９に示す。箱体１を接地面２７に設置したときの、接地面２７からロールシート２の中心軸までの高さをＨ１とする。また、第１のフランジ４ａおよび第２のフランジ４ｂを軸方向がロールシート２の中心軸と平行となるように接地面２７上に設置したときの、接地面２７から第１のフランジ４ａおよび第２のフランジ４ｂの中心部までの高さをＨ２とする。このときＨ１とＨ２は、Ｈ１≧Ｈ２の関係となっている。
【００２４】
次に、図１０（ａ）に示すように、箱体１の端面方向から、第１のフランジ４ａを外したロールホルダユニット１２の支軸５を、芯部材２１の中空部分を通り、矢印Ｇ方向に貫き通す。このとき、ユーザーはロールシート２の重量を手で支持する必要がなく、ロールホルダユニット１２のみを手で支持すればよいので、簡単に支軸５をロールシート２に通すことができる。また、ロールシート外周面に触れずに済むので、記録用紙を汚損するリスクを低減することができる。その後、ロールホルダユニット１２の支軸５にフランジ４ａを取り付ける。このとき、ロールシート２の端面は、箱中央部１０１より突出した位置にあることで、ユーザーはロールシート２を動かさずに、ロールシート２の端面を第１のフランジ４ａおよび第２のフランジ４ｂまで押し当てることができる。最後に、フランジ４ａを支軸５へ図示しないロック部材により固定する。以上で、ロールシート２をロールホルダユニット１２に取り付ける作業は終了する。
【００２５】
以降、図１０（ｂ）に示すように、箱体１を第３分離位置１１のミシン目に沿って分離し、矢印Ｈ方向に開くことで箱側面部１０３を開放し、ロールホルダユニット１２を収納箱から取り出す。次にロールシート２を覆う保護シート８を第３のミシン目２６を切り離すことで取り除き、最後に、図３に示すように、ロールホルダユニット１２を、プリンタの搬送ユニット３５０の軸受部３５１に取り付ける。
【００２６】
以上説明したように、本実施形態によれば、収納箱の箱端部１０２ａ，１０２ｂを折り曲げて反転させると、ロールシート端面部２０１が解放され、ロールシート２は箱中央部１０１にその重量を支えられる状態となる。そのため、ユーザーはロールホルダユニット１２のみを手で保持すれば、支軸５をロールシート２へ貫通することが可能となる。このとき、ユーザーはロールシート２を手で支持する必要がないため、作業における負担が軽減される。また、ユーザーはロールシートの幅が両手を広げても届かない長さである場合でも、ロールホルダユニット１２を持って、箱に支持されたロールシート２の端面へ向けて支軸を貫き通せばよいので、１人でも簡単に支軸取り付け作業が可能となる。さらに、箱端部１０２を折り曲げて反転させることで、接地面２７に対してロールシートの中心軸の高さ（Ｈ１）がロールホルダユニット１２の支軸５の高さ（Ｈ２）より高い位置になる。これにより、支軸５の取り付け時にロールシート２を高い位置に持ち上げる必要がなくなる。また、ロールシート２の端面が箱中央部１０１より突出した位置にあるため、支軸５にフランジを取り付ける際、ユーザーはロールシート２を動かさずに、ロールシート２の端面をフランジまで押し当てることができる。さらに、ロールシート２の外周面に触れる必要がないため、記録用紙２２を汚損するリスクを低減することができる。
【００２７】
なお、本実施形態においては、収納箱を、第１分離位置９および第２分離位置１０で分離した際、ロールシート端面部２０１は、第１分離位置９および第２分離位置１０よりも外側に突出する位置関係となると説明した。しかし、本発明はこれに限定されず、ロールシート端面部２０１が第１分離位置９および第２分離位置１０と同一の位置関係であってもよい。
【００２８】
また、本実施形態では、支軸５をロールシートに貫き通し、紙管の内径に摩擦部材１６を接触させ、ロールシート端面をフランジに接触させた状態にして、装置本体にセットすると説明した。しかし、本発明では、支軸５は必ずしも必要ではなく、ロールシートを摩擦部材１６とフランジのみで支持して装置本体にセットする形態であってもよい。この場合においても、本実施形態と同様に、ロールシートの外周面にユーザーの手が触れることなく、ロールシートの装置本体への取り付けが可能となる。
【００２９】
また、箱体１の箱端面部１０４は必ずしも正方形である必要はなく、例えば、２辺の長さが異なる長方形でもよいし、５個以上の辺をもつ多角形であってもよい。
【００３０】
また、本実施形態では、箱体１を第１分離位置９および第２分離位置１０において分離する際に、支持部材３を箱端部１０２と一体に反転させると説明した。しかし、本発明では、支持部材３をロールシート２から除去した後に、箱端部１０２のみを反転させた後、箱端部１０２に支持部材３を取り付けてもよい。このとき、支持部材３はロールシート２の重量を支える箱端部１０２を補強するための機能を有し、箱端部１０２の剛性がロールシート２の重量を支持するのに十分なものであれば、必ずしも支持部材３を箱端部１０２に取り付ける必要はない。
【００３１】
さらに、ロールシート２の保護シート８について、本実施形態では、分離をガイドするミシン目２４、２５、２６が設けられていると説明したが、これらは必ずしも必要ではない。ミシン目の代わりとして、切り離し始めの位置に切り欠きがある形状であってもよいし、分離位置が保護シート８の表面上に記載されているだけであってもよい。
【００３２】
（第２実施形態）
次に、本発明の第２実施形態に係るロールシート収容箱について説明する。第１実施形態と同様の構成についてはその説明を省略する。
【００３３】
図１１は、本実施形態に係るロールシート収納箱を示す外観斜視図である。ロールシート収納箱（収容箱）は、図１１に示すような箱体１００１である。箱体１００１は、第１実施形態と同様に、第１分離位置１００９および第２分離位置１０１０において分離可能である。収容箱の箱端部１１０２が第１分離位置１００９および第２分離位置１０１０において分離すると、ロールシート１００２のロールシート端面部１２０１が解放され、ロールシート１００２をロールホルダユニットの支軸に簡単に組み付けることができる。本実施形態では、第１実施形態と異なり、箱端部１１０２は第１分離位置１００９と第２分離位置１０１０において完全に分離する。また本実施形態では、分離した箱端部１１０２を、ロールシート１００２を支持する箱中央部１１０１の底面下側に固定することができる。
【００３４】
図１２は、本実施形態に係るロールシート収納箱の固定方法を説明するための図である。本実施形態では、２つの箱端部１１０２にそれぞれ２つの開口部１０３５と爪部１０３６が設けられ、箱中央部１１０１の底面には４つの穴部１０３７が設けられている。箱端部１１０２の爪部１０３６は、箱中央部１１０１の穴部１０３７とそれぞれ係合可能に構成されている。まず図１２（ａ）に示すように、箱端部１１０２の開口部１０３５を通して箱端部１１０２上面にある爪部１０３６を図中矢印Ｊ方向に押し上げる。そして図１２（ｂ）に示すように、箱端部１１０２の爪部１０３６を、箱中央部底面にある穴部１０３７へ差し込み係合させる。このようにして、分離した箱端部１１０２を箱中央部１１０１の底面に固定し、箱中央部１１０１を箱端部１１０２により支持することが可能となる。
【００３５】
なお本実施形態では、分離した箱端部１１０２を箱中央部１１０１の底面下側に固定すると説明したが、本発明はそれに限定されることはない。箱端部１１０２を分離した後、ロールシート２を箱中央部１１０１ごと、箱端部１１０２と同等の高さの支持台の上に設置しても良い。
【００３６】
また、箱体１００１の端面は必ずしも正方形である必要はなく、例えば、円形でもよいし、３辺の長さが異なる３角形であってもよいし、５個以上の辺をもつ多角形であってもよい。
【符号の説明】
【００３７】
１  箱体
２  ロールシート
９  第１分離位置
１０  第２分離位置
１１  第３分離位置
１０１  箱中央部
１０２ａ，１０２ｂ  箱端部
１０３  箱側面部
【図１】
2019064608.tif 000003
【図２】
2019064608.tif 000004
【図３】
2019064608.tif 000005
【図４】
2019064608.tif 000006
【図５】
2019064608.tif 000007
【図６】
2019064608.tif 000008
【図７】
2019064608.tif 000009
【図８】
2019064608.tif 000010
【図９】
2019064608.tif 000011
【図１０】
2019064608.tif 000012
【図１１】
2019064608.tif 000013
【図１２】
2019064608.tif 000014
【図１３】
2019064608.tif 000015
【図１４】
2019064608.tif 000016